(57)【特許請求の範囲】
【請求項１】
軸筒（２）の両端にペン先及び該ペン先を覆うキャップを備えた両頭式筆記具（１）であって、前記キャップが大キャップ（５）と小キャップ（６）とからなり、前記大キャップ（５）側のペン先（２Ａ）を使用するために前記大キャップ（５）を前記小キャップ（６）側に装着させたとき、前記大キャップ（５）内に前記小キャップ（６）を収容配置させ、前記大キャップ（５）内壁を軸筒（２）外壁と嵌合状態にさせると共に、前記大キャップ（５）内壁を前記小キャップ（６）外壁と非嵌合状態にさせ、且つ前記大キャップ（５）内壁を前記小キャップ（６）外壁と軸方向の当接状態にさせてなり、前記大キャップ（５）内壁に、ストッパ部（５１）を形成し、前記小キャップ（６）外壁の中間部に、当接部（６１）を形成し、前記大キャップ（５）をペン先（２Ａ）側に装着させたとき、前記ストッパ部（５１）が、軸筒（２）の肩部（３Ａ）と軸方向の当接状態にあり、前記大キャップ（５）を前記小キャップ（６）側に装着させたとき、前記ストッパ部（５１）が、小キャップ（６）の当接部（６１）と軸方向の当接状態にあることを特徴とする両頭式筆記具。
【発明の詳細な説明】
【０００１】
【発明の属する技術分野】
本発明は、軸筒両端にペン先及び該ペン先を覆うキャップを備えた両頭式筆記具に関する。さらに詳細には、前記両頭式筆記具のキャップ後ろ差し構造に関する。
【０００２】
【従来の技術】
従来、両頭式筆記具において、例えば、実開平３−５７０８８号公報には、使用するペン先側のキャップの開口部を、もう一方の使用しないペン先側のキャップの頂部に、着脱可能に嵌合させる構造が開示されている。
【０００３】
【発明が解決しようとする課題】
前記従来の両頭式筆記具のキャップは、キャップが互いに嵌合する構造であるため、以下の問題点を有する。
【０００４】
キャップ同志の嵌合が強固であると、一方のキャップの頂部に仮差し状態にある他方のキャップを元のペン先側に戻す際、２つのキャップを同時に外してしまうおそれがあり、キャップ着脱時に不都合がある。
【０００５】
特に、二つのキャップがサイズの異なる大キャップと小キャップとからなる場合、小キャップを大キャップ内に深く嵌合させる構造や小キャップの全体を大キャップ内に収容させる構造としたとき、前記公報のようなキャップが互いに嵌合する構造の場合、小キャップが大キャップ内に食いついて小キャップを大キャップ内から容易には取り出せなくなるおそれがある。
【０００６】
本発明は前記問題点を解決するものであり、大キャップ内に小キャップを収容させる構造としても、大キャップ内に小キャップが食いつくことのないキャップ後ろ差し構造を備えた両頭式筆記具を提供する。
【０００７】
【課題を解決するための手段】
本発明は、軸筒２両端にペン先及び該ペン先を覆うキャップを備えた両頭式筆記具１であって、前記キャップが大キャップ５と小キャップ６とからなり、前記大キャップ５側のペン先２Ａを使用するために前記大キャップ５を前記小キャップ６側に装着させたとき、前記大キャップ５内に前記小キャップ６を収容配置させ、前記大キャップ５内壁を軸筒２外壁と嵌合状態にさせると共に、前記大キャップ５内壁を前記小キャップ６外壁と非嵌合状態にさせ、且つ前記大キャップ５内壁を前記小キャップ６外壁と軸方向の当接状態にさせてなり、前記大キャップ５内壁に、ストッパ部５１を形成し、前記小キャップ６外壁の中間部に、当接部６１を形成し、前記大キャップ５をペン先２Ａ側に装着させたとき、前記ストッパ部５１が、軸筒２の肩部３Ａと軸方向の当接状態にあり、前記大キャップ５を前記小キャップ６側に装着させたとき、前記ストッパ部５１が、小キャップ６の当接部６１と軸方向の当接状態にあること（請求項１）を要旨とする。
【０００８】
前記大キャップ５内壁には、ストッパ部５１（例えば、段部またはリブ等）が形成される。また、前記小キャップ６外壁の中間部には、当接部６１（例えば、リブまたは鍔部等）が形成される。
【０００９】
特に、前記当接部６１を小キャップ６外壁の中間部に設ける構造（図２参照）を採用すれば、前記ストッパ部５１を、軸筒２の肩部３Ａ及び小キャップ６の当接部６１の両者が前記ストッパ部５１と軸方向に当接可能なものとすることができる。それにより、ストッパ部５１の形状構造をシンプルにし、製造を容易にする。
【００１０】
【作用】
大キャップ５は、大キャップ５側のペン先２Ａを使用する際、小キャップ６側に装着される。このとき、前記小キャップ６が前記大キャップ５内に収容配置され、前記大キャップ５が、前記小キャップ６側の軸筒２と嵌合状態にされる同時に前記小キャップ６と非嵌合状態にされる。それにより、ペン先２Ａの筆記使用後、前記大キャップ５を、元のペン先２Ａ側に戻すために小キャップ６側から取り外すとき、小キャップ６を同時に外すことがなく、キャップ着脱操作を円滑なものにする。その上、大キャップ５内に小キャップ６を食いつかせることがなく、大キャップ５内からの小キャップ６の取り出しを困難とすることがない。
【００１１】
さらに、前記大キャップ５内壁を前記小キャップ６外壁と軸方向の当接状態にさせる構造により、大キャップ５内に、小キャップ６を深く挿入させることを確実に防止し、小キャップ６を大キャップ５内から取り出し不能とさせる事故を防ぐ。また、大キャップ５と小キャップ６の軸方向の当接の際、ユーザーにここちよい嵌合感（具体的には、当接音または当接時の手応え等）を与える。
【００１２】
【発明の実施の形態】
以下に本発明・両頭式筆記具１の実施の形態を図面に従って説明する。
【００１３】
図１は本発明・両頭式筆記具１の一実施例を示す縦断面図である。図２は、本発明の作用を説明するものであって、図１の両頭式筆記具１において、大キャップ５を小キャップ６側に装着させた状態を示す要部縦断面図である。
【００１４】
軸筒２の両端にはペン先（ペン先２Ａ，ペン先２Ｂ）備える。前記ペン先２Ａとペン先２Ｂは、ペン先のサイズ、ペン先のタイプ、インキ色等の異なる異種のペン先である。前記ペン先のタイプは、例えば、繊維の樹脂加工体よりなるペン体、プラスチック多孔質体よりなるペン体、プラスチック押出成形よりなるペン体、ボールペンチップ、万年筆状ペン体、パイプペン体、シャープペンシル等、挙げることができる。
【００１５】
（キャップの概要）
ペン先２Ａには、大キャップ５が被着される。また、ペン先２Ｂには、小キャップ６が被着される。前記大キャップ５及び小キャップ６は、合成樹脂の射出成形により得られる。前記キャップ２Ａ・２Ｂの両者とも、一端が閉塞され他端が開口された有底筒体であり、軸筒２に装着した際、大キャップ５はペン先２Ａを、小キャップ６はペン先２Ｂを密封または保護する。
【００１６】
（大キャップ）
前記大キャップ５は、その内壁面に、軸筒２の大径部３外面と嵌合する凸部よりなる嵌合部５２（具体的には、点状凸部または環状凸部）と、前記嵌合部５２よりもキャップ閉塞部方向に形成され、開口部方向に面した段形状の当接壁よりなるストッパ部５１とを一体に形成した合成樹脂の射出形成体である。
【００１７】
大キャップ５を本来のペン先２Ａ側に装着させたとき（図１参照）、前記嵌合部５２が、軸筒２の大径部３外周面と嵌合状態にあると同時に、前記ストッパ部５１が、軸筒２の肩部３Ａと軸方向の当接状態にある。また、ペン先２Ａを使用するために前記大キャップ５を前記小キャップ６側に装着させ、大キャップ５内に小キャップ６を収容させたとき（図２参照）、前記嵌合部５２が、軸筒２の大径部３外周面と嵌合状態にあると同時に、前記ストッパ部５１が、小キャップ６の当接部６１と軸方向の当接状態にある。
【００１８】
また、図２に示すように前記ストッパ部５１と前記嵌合部５２との間の大キャップ５内壁面の内径は、当接部６１から開口端までの部分の小キャップ６の内径よりも小さく設定されている。さらに、前記ストッパ部５１よりも閉塞部方向の大キャップ５内壁面の内径は、前記当接部６１より閉塞部方向の小キャップ６の外径よりも小さく設定される。それにより、大キャップ５を小キャップ６側に装着させ、大キャップ５内に小キャップ６を収容させたとき、大キャップ５と小キャップ６とを非嵌合状態にさせることができる。
【００１９】
（小キャップ）
前記小キャップ６は、その外壁面に、前記大キャップ５のストッパ部５１と軸方向に当接可能な当接部６１と、その内壁面に、軸筒２の小径部４外面と嵌合する凸部よりなる嵌合部６２（具体的には、点状凸部または環状凸部）とを一体に形成した合成樹脂の射出成形品である。
【００２０】
前記小キャップ６を本来のペン先２Ｂ側に装着させたとき、前記嵌合部６２が、軸筒２の小径部４外周面と嵌合状態にあると同時に、開口端面が、軸筒２の肩部３Ｂと軸方向の当接状態にある。また、小キャップ６の外壁面の当接部６１よりも開口端方向の外径は、軸筒２の大径部３の外径より僅かに小径である。それにより、大キャップ５を小キャップ６側に装着した際、大キャップ５が、軸筒２の大径部３と嵌合状態となっても（図２参照）、大キャップ５と小キャップ６とは非嵌合状態が保たれる。
【００２１】
（軸筒）
軸筒２は、金属または合成樹脂により得られる筒状体であり、両端部に、ペン先２Ａ・２Ｂが取り付けられてなる。前記ペン先の取り付け構造は、軸筒２に直接に取り付けるタイプでもよいし、ペン先ホルダー等の別部材を介して軸筒２に取り付けるタイプのいずれでもよく、ペン先の種類により適宜採用される。本実施例では前記軸筒２には、太径のペン先２Ａ（繊維の樹脂加工体）と、小径のペン先２Ｂ（合成樹脂の押出成形体）が両端に取り付けられている。また、前記軸筒２内には、繊維収束体よりなるインキ吸蔵体（図示せず）が収容され、その両端部に前記ペン先２Ａ・２Ｂが突き刺し状態で接続されている。
【００２２】
また、前記軸筒２は、両端に肩部３Ａ・３Ｂを備えた大径部３（把持部）と、前記肩部３Ａ・３Ｂに連設される小径部４Ａ・４Ｂ（ペン先ホルダー部）とからなる。ペン先２Ａ側に大キャップ５を被着させた際（図１参照）、前記ペン先２Ａ側の肩部３Ａと大キャップ５のストッパ部５１とが軸方向の当接をなすと共に、前記ペン先２Ａ側の大径部３外周面と大キャップ５の嵌合部５２とが径方向の嵌合状態となる。また、ペン先２Ｂ側に小キャップ６を被着させ際（図１参照）、前記ペン先２Ｂ側の肩部３Ｂと小キャップ６の開口端とが軸方向の当接をなすと共に、前記ペン先２Ｂ側の小径部４Ｂ外周面と小キャップ６の嵌合部６２とが径方向の嵌合状態となる。
【００２３】
【発明の効果】
本発明・両頭式筆記具は、大キャップ側のペン先を使用するために大キャップを小キャップ側に装着させたとき、大キャップ内に小キャップを収容配置させ、大キャップ内壁を軸筒外壁と嵌合状態にさせると共に、大キャップ内壁を小キャップ外壁と非嵌合状態にさせてなることにより、大キャップを元のペン先に戻すために小キャップ側から取り外すとき、小キャップを同時に外すことがない上、大キャップ内に小キャップを食いつかせることがなく、大キャップから小キャップを取り出し不能とすることがない。
【００２４】
また、大キャップ内壁を小キャップ外壁と軸方向の当接状態にさせる構造により、大キャップ内に、小キャップを深く挿入させることを確実に防止し、大キャップ内に小キャップを取り出し不能とさせる事故を防ぐ。また、大キャップと小キャップの軸方向の当接の際、ユーザーにここちよい嵌合感を与える。
【図面の簡単な説明】
【図１】本発明・両頭式筆記具の縦断面図である。
【図２】図１の両頭式筆記具の大キャップを小キャップ側に装着させた状態の要部縦断面図である。
【符号の説明】
１  両頭式筆記具
２  軸筒
２Ａ  ペン先
２Ｂ  ペン先
３  大径部
３Ａ  肩部（ペン先２Ａ側）
３Ｂ  肩部（ペン先２Ｂ側）
４Ａ  小径部（ペン先２Ａ側）
４Ａ  小径部（ペン先２Ｂ側）
５  大キャップ
５１  ストッパ部
５２  嵌合部
６  小キャップ
６１  当接部
６２  嵌合部
【図１】
0003896189.tif 000002
【図２】
0003896189.tif 000003